(57)【要約】  【課題】  シートの膨らみ変形やシート両端部のレールボックスからの抜けを防止できるよう改良を加えたフラットタイプシート使用のシートシャッターを提供する。  【解決手段】  シートシャッターは、フラットタイプのシート１０と、シート１０の幅方向両端部の挿通されるスリット状の案内部３５を有するレールボックス本体３３と、を備える。案内部３５には、樹脂ガイド１５が取り付けられている。樹脂ガイド１５は、案内部３５の縁部３４に沿って取り付けられる基部５１と基部５１から案内部３５内に突き出してシート１０に接するヒレ部５３を有する。シート１０の端部には、シート１０の幅方向中央に向けて突き出た折り返し片１５が設けられている。シート１０の端部がボックス本体３３の案内部３５から引き出されようとしたときに、折り返し片１７は樹脂ガイド５０のヒレ部５３と干渉して、シート端部のボックス本体３３からの抜けを防止する。【選択図】  図３
2006037596.tif 000002
【特許請求の範囲】
【請求項１】
建物の開口において上げ下げされ該開口を開閉するシートと、該シートを巻き上げ・巻き下げる手段と、前記シートの幅方向両端部を上下に案内するレールボックスと、を備えるシートシャッターであって、
前記シートは、上下方向中間部分に、シートの幅方向の変形を抑制するための補強部材のないフラットなものであり、
前記レールボックスが、
上下方向に延びる、前記シートの幅方向の端部の挿通されるスリット状の案内部を有するボックス本体と、
該ボックス本体の案内部に沿って取り付けられる基部、及び、該基部から前記案内部内に突き出して前記シートに接するヒレ部を有する樹脂ガイドと、を具備し、
前記シート端部に、前記シートの幅方向中央に向けて突き出た干渉部が設けられており、
該シート端部が前記ボックス本体の案内部からシート幅方向中央に向けて引き出されようとしたときに、前記干渉部が前記樹脂ガイドのヒレ部と干渉して、該シート端部の前記ボックス本体からの抜けを防止することを特徴とするシートシャッター。
【請求項２】
前記干渉部が、前記シートの端部を折り返した折り返し部であることを特徴とする請求項１記載のシートシャッター。
【請求項３】
さらに、前記ボックス本体内において上下方向に延びるように設けられた、前記シートが閉限にある場合に前記シートに対して押し当てられる押し当て部材（当て板）を備えることを特徴とする請求項１又は２記載のシートシャッター。
【請求項４】
前記シートを巻き上げ・巻き下げる手段がローターパイプを有し、
該ローターパイプの、前記シート端部の干渉部が巻かれる部分が、他の部分に比べて比較的小径であることを特徴とする請求項１、２又は３記載のシートシャッター。
【請求項５】
請求項１〜４いずれか１項記載のシートシャッターと、
下降した前記シートの面に画像を投影するプロジェクターと、
を備えることを特徴とする投影シートシャッター。
【発明の詳細な説明】
【技術分野】
【０００１】
本発明は、建物の出入り口を開閉するシートシャッターに関する。特には、フラットタイプのシートを用いるシートシャッターであって、シート表裏面に風圧（空圧差）がかかる場合にも、シーツの膨らみ変形やレールボックスからの抜けを防止できるように改良を加えたシートシャッターに関する。さらには、同シートの面に画像を投影する投影シートシャッターにおいて、投影された画像が歪んだり途切れたりしないように、下降したシートの表面を平坦な状態に保つように工夫を施したシートシャッターに関する。
【背景技術】
【０００２】
シートシャッターには、シートの幅方向に延びるパイプ（補強材）を、シートの上下方向中間部分に所定の間隔で固定したタイプのもの（非フラットタイプ）がある。このシートシャッターのパイプは、シートに耐風圧力を与える補強部材の役割を果たす。また、パイプはシャッター開口の左右のレールボックス間に渡されており、風圧（差圧）によってシートが帆のように膨らまないようにする変形防止部材の役割を果たす。
【０００３】
このような非フラットタイプのシートにおいては、円筒形のパイプがシートの上下方向中間部分に固定されており、パイプの部分が出っ張った凸状となり、シートの見栄えが悪くなる。また、パイプの分だけ重量が加わるので、シート全体の重量が重くなってしまい、シートの巻き上げ・巻き下げを行うモータにかかる負荷が大きくなってしまう。さらに、パイプが存在することにより、シートをロータパイプに巻き上げ・巻き下げするときにロータパイプが偏心し、振動が発生することがある。
【０００４】
一方、パイプが設けられていないフラットシートを用いたパイプレスシートシャッターもある。この種のシャッターは、パイプがないため見栄えがよいという特長を有する。さらに、振動の発生が抑えられるとともに、シートの重量が軽くなるため、モータにかかる負荷も少なくなる。
【０００５】
しかし、フラットシートはパイプがないため耐風圧性が弱く、シートの表裏面にかかる圧力の差が大きくなるとシートが帆のように大きく膨らんで、ひどい場合にはレールボックスからシートの端が抜けてしまう事態ともなりうる。このため、フラットシートシャッターは、シートの表裏面での圧力の差が比較的小さい室内向けや、比較的幅が狭いシャッターにしか用いられていない。そして、広い幅のシャッター開口が必要な場合や、室内用でもシートの表裏面の圧力差が大きい場合は、パイプ付きのシートシャッターを用いざるを得ない。
【０００６】
ところで、娯楽施設や店舗などにおいて集客性を高めるために、店頭に設けたガラス製の入口ドアに透光性のスクリーンを形成し、このスクリーンに所望の映像を映し出すような店頭ディスプレイ装置が提案されている（例えば、特許文献１参照）。
【０００７】
【特許文献１】特開平０６−４３８２１号公報
【発明の開示】
【発明が解決しようとする課題】
【０００８】
本発明者は、スーパーマーケットの食品販売フロアやコンビニエンスストアにおいて、売り場と食品倉庫又は調理場との間の出入り口に設けたシートシャッターに投影プロジェクターを組合わせて、下降したシートの面を投影スクリーンとして、この面にプロジェクターで画像情報を投影する新たなシステムを発案した。このようなシステムにおいては、特に、商品情報を提供することによって、その商品の購買意識を高めることが期待できる。
【０００９】
このような集客システムに使用できるシートシャッター（投影シートシャッター）としては、画像を歪んだり途切れたりすることのないようにシート上に映し出すために、フラットタイプのシートシャッターを用いることが望ましい。非フラットタイプのシートシャッターでは、パイプの部分で画像が途切れてしまうからである。しかしながら、フラットタイプのシートシャッターでは、前述の風で膨らむ問題があり、シートが風で膨らんだ場合には、シートに投影される画像が歪んでしまう。そこで、フラットタイプのシートシャッターにおいても、シートの歪みや撓みを極力なくして、シートを張った状態に保つことが要求される。
なお、非フラットタイプのシートシャッターを用いる場合でも、パイプの出っ張っていない側の面に画像を投影すれば問題はないように思えるが、以下のような問題点が生じる。投影シートシャッターにおいては、投影プロジェクターをシートの裏側（売り場の反対側、倉庫や調理場側）に設置して、シートの裏側の面に画像を投影することが好ましい。これは、プロジェクターをシートの表側に設置して、シートの表側の面に画像を投影した場合は、売り場内を通行する客によって画像が遮られて、シートに客の影が写ってしまうおそれがあるためである。つまり、シートは表裏面ともフラットである必要があり、いずれかの面にもパイプの出っ張りがあってはならない。また、中間パイプは、通常、シート片で形成された袋に入れられて、この袋をシート面に溶着することにより、シート面に取り付けられている。この際、シートの溶着部分は表面に凹凸が形成されてしまう。このため、シートの他の部分と表面状態が異なり、投影される画像の画質も異なり、画像全体の品質が低下する。さらに、シートのパイプが取り付けられていない側の面も、パイプによりやや出っ張ってしまうこともある。
【００１０】
本発明は上記の問題点に鑑みてなされたものであって、シートの表裏に風圧がかかった場合にもシートの膨らみ変形やシート両端部のレールボックスからの抜けを防止できるよう改良を加えたフラットタイプシート使用のシートシャッターを提供することを目的とする。特には、投影シートシャッターに使用できるような、シートを歪みや撓みがなく、張った状態に維持できるシートシャッターを提供することを目的とする。
【課題を解決するための手段】
【００１１】
本発明のシートシャッターは、  建物の開口において上げ下げされ該開口を開閉するシートと、該シートを巻き上げ・巻き下げる手段と、前記シートの幅方向両端部を上下に案内するレールボックスと、を備えるシートシャッターであって、  前記シートは、上下方向中間部分に、シートの幅方向の変形を抑制するための補強部材のないフラットなものであり、  前記レールボックスが、  上下方向に延びる、前記シートの幅方向の端部の挿通されるスリット状の案内部を有するボックス本体と、  該ボックス本体の案内部に沿って取り付けられる基部、及び、該基部から前記案内部内に突き出して前記シートに接するヒレ部を有する樹脂ガイドと、を具備し、  前記シート端部に、前記シートの幅方向中央に向けて突き出た干渉部が設けられており、  該シート端部が前記ボックス本体の案内部からシート幅方向中央に向けて引き出されようとしたときに、前記干渉部が前記樹脂ガイドのヒレ部と干渉して、該シート端部の前記ボックス本体からの抜けを防止することを特徴とする。
【００１２】
本発明においては、  前記干渉部が、前記シートの端部を折り返した折り返し部であることとすれば、干渉部を簡単に形成することができる。
【００１３】
シート端部がボックス本体の案内部から引き出されようとすると、シート端部の干渉部が案内部の樹脂ガイドに噛み合い、シート端部の抜けを防止できる。そのため、シートの膨らみもある程度以下に抑制できる。また、シートが軽量であり、シートの巻き上げ・巻き下げ時に、中間パイプのような障害物が存在しないので、振動が少なく、滑らかな巻き上げ・巻き下げを行うことができる。このようなことから、後述する投影シートシャッターに好適である。
【００１４】
本発明においては、  さらに、前記ボックス本体内において上下方向に延びるように設けられた、前記シートが閉限にある場合に前記シートに対して押し当てられる押し当て部材（当て板）を備えることとすれば、シート両端部の抜け防止、及び、シートのフラット性維持により好ましい。
【００１５】
本発明においては、  前記シートを巻き上げ・巻き下げる手段がローターパイプを有し、  該ローターパイプの、前記シート端部の干渉部が巻かれる部分が、他の部分に比べて比較的小径であることが好ましい。シート両端部に干渉部を設けたことにより、該両端部ではシートの厚さが厚くなる。このため、同一径のロータパイプを用いた場合、シート両端部で巻き太りが生じる。そこで、シート両端部が巻かれる部分が、他の部分に比べて比較的小径であるローターパイプを用いることにより、シートの厚さの差を吸収できる。
【００１６】
本発明の投影シートシャッターは、上記に記載のシートシャッターと、  下降した前記シートの面に画像を投影するプロジェクターと、を備えることを特徴とする。
【００１７】
下降したシートの面がフラットに保たれるので、シートを投影スクリーンとして使用しても、画像を、歪んだり途切れたりすることなくきれいに映し出すことができる。
【発明の効果】
【００１８】
以上の説明から明らかなように、本発明によれば、シートの膨らみやシート両端部のレールボックスからの抜けが起こり難いとともに、シートを張った状態に保ちやすいシートシャッターを提供できる。したがって、広い幅のシャッター開口が必要な場合や、シートの表裏面の圧力差（風圧）が大きい場合にも使用できる、フラットタイプのシートシャッターを提供できる。
そして、このようなシートシャッターを投影スクリーンとして用いる、投影シートシャッターを提供できる。このような投影シートシャッターを新たな集客システム・販促システムとして用いることができる。
【発明を実施するための形態】
【００１９】
以下、本発明の実施の形態について、図面を参照しながら詳細に説明する。
図１は、本発明の実施の形態に係るシートシャッターの全体構造を説明するための図であり、図１（Ａ）は正面図、図１（Ｂ）は模式的側面断面図、図１（Ｃ）は平面図である。
シートシャッター１は、シート１０と、同シート１０を巻き上げ・巻き下げするローラ組立体２０と、フレーム３０等から構成される。フレーム３０は、左右のレールボックス３１Ｌ、３１Ｒと、左右レールボックス３１の上端間に掛け渡された本体ボックス８１を有する。左右レールボックス３１の間をシャッター開口という。図１（Ｂ）、図１（Ｃ）に示すように、左右のレールボックス３１及び本体ボックス８１は、左右の柱８３Ｌ、８３Ｒで支持されている。
【００２０】
シート１０は、パイプのないフラットシートである。このようなシートは、例えば、塩ビやポリエステル等の合成樹脂で作製される。シート１０の一面の下端には、シート１０の幅方向に渡ってフラットバー１１が固定されている。フラットバー１１はシート１０の巻き下げ時の重りとなるもので、鋼帯等で作製され、所定の重量を有する。
【００２１】
図２は、図１のシートシャッターのシートを示す図であり、図２（Ａ）は一部正面図、図２（Ｂ）は平面断面図である。
シート１０の幅は、シャッター開口の幅よりも広く、左右のレールボックス３１の中心部間の距離とほぼ等しい幅（基準幅）を有する。シート１０の幅方向両端部には、干渉部１５が設けられている。この干渉部１５は、後述する樹脂ガイドに干渉して、シート端部のレールボックスからの抜けを防止する。干渉部１５は、この例では、以下に述べるように、シートの幅方向内側に向けて突き出た折り返し部として形成されている。
【００２２】
まず、予め基準幅よりも幅の広いシートを用意し、シート１０の幅方向両端部を、シート幅が基準幅となるように折り返し線で内側に折り返してシートに重ねる。そして、重ねられた部分の内、端（折り返し線）から所定の寸法の部分１６のみを熱融着する。熱融着された部分１６は、熱によってシート幅方向にやや収縮する。すると、折り返された端部の内の熱融着されていない部分１７（熱融着部１６より外側（シート端部側）の部分、）１７は、熱融着部１６に引っ張られるように、熱融着部１６の端からシート１０の面に対して斜め上方に反る。そして、熱融着されていない部分１７（以下、折り返し片という）の先端（シート１０の端）は、シート１０から浮く。一例として、熱融着部１６の幅は約２５ｍｍ、折り返し片１７の幅は約１０ｍｍである。そして、折り返し片１７の先部とシート１０とのスキマの間隔は１ｍｍ程度である。
なお、融着方法としては、他に超音波式などを適用できる。
【００２３】
なお、干渉部１５として、所定の幅の２枚のシート片を用いてもよい。この場合は、各シート片を、基準幅のシート１０の幅方向の各端部に重ねて、シート端部から所定の幅の部分を融着して、シートとシート片を固定させる。融着されていないシート片は、融着部の端からシートの幅方向内側に、斜め上方向に反る。
【００２４】
本体ボックス８１の下面には、同ボックスの幅方向に渡って、シート１０が出し入れされる開口８７が開けられている。同ボックス８１内には、ローラ組立体２０が、シート１０の幅方向に渡って配置されている。ローラ組立体２０は、シート１０とほぼ同じ幅を有するロータパイプ２１と、同パイプ２１を回転させるモータ２３（減速機付き）を備える。ロータパイプ２１の幅方向中央には、ゴム板２５が巻き付けられている（ゴム板２５の作用については後述する）。一例で、ゴム板２５の厚さは４ｍｍである。ロータパイプ２１には、シート１０の上端が固定されている。なお、シート１０は、干渉部１５が設けられていない面が、ロータパイプ２１の外周面に接するように同パイプ２１に巻き上げられる。
【００２５】
モータ２３が一方向に回転すると、シート１０が本体ボックス８１の開口８７からロータパイプ２１の外周に巻き上げられて、シャッター開口が開く。そして、モータ２３が反対方向に回転すると、シート１０がロータパイプ２１の外周から本体ボックス８１の開口８７を通って垂下するように巻き下げられて、シャッター開口が閉じられる。
【００２６】
ここで、シート１０が直円筒形のロータパイプに巻き上げられるとすると、以下のような現象が起こる。シート１０の両端部には、図２に示すように干渉部１５が形成されている。この干渉部１５の部分では、シート１０の厚さが他の部分の２倍程度となっている。このため、このような両端が分厚いシートを、直円筒形のロータパイプに巻き上げると、ロータパイプの両端の部分で、巻き上げられたシートの厚さが他の部分よりも２倍程度に厚くなり（巻き太りという）、巻き上げられたシートにしわが生じたり、巻き上げられたシートの端部がずれたりする。すると、シートを巻き下げるときに、シートが真っ直ぐに下降しないようなことが起こり得る。
【００２７】
そこで、この例では、ロータパイプ２１の中央にゴム板２５を巻きつけてロータパイプ２１の中央部の径を大きくしている。こうすることにより、シート１０は全幅に渡って中央部の径に合わせて巻き上げられる。つまり、シート１０の中央部以外の部分では、実際にはシートとロータパイプ外周面との間にスキマができる。このスキマに、シート両端部の厚みが吸収されるため、シートの巻太りを防止できる。
また、シート１０のロータパイプ２１への巻き上げ時に、シート１０の横ズレを防止できるという効果も期待できる。
【００２８】
本体ボックス３１には、モータ２３の回転等を制御する制御回路等が収容されているコントロールボックス（図示されず）が取り付けられている。
【００２９】
図３は、図１のシートシャッターのレールボックスの構造を説明する断面図である。
レールボックス３１は、断面が方形の中空のボックス本体３３を有する。ボックス本体３３は、表壁３３ａ、裏壁３３ｂ、内壁３３ｃ、外壁３３ｄからなる。内壁３３ｃには、上下に延びるスリット状の開口であるシート案内部３５が形成されている。シート１０が上げ下げされるときに、シート１０の両端部はこの案内部３５内に挿通されている。シート案内部３５により、内壁３３ｃは裏部３３ｃ−１と表部３３ｃ−２とに分けられている。案内部３５の表側及び裏側には、内壁表部及び裏部３３ｃ−１、３３ｃ−２からほぼ直角にボックス本体３３内の中央まで延びる縁部３４が設けられている。
【００３０】
図に示すように、この例では、ボックス本体３３は、外壁３３ｄ、裏壁３３ｂ、内壁裏部３３ｃ−１とが、一つの部材（板）を折り曲げ加工して作製されている。そして、表壁３３ａ、内壁表部３３ｃ−２とが、一つの部材（板）を折り曲げ加工して作製されている。そして、各部材を表壁３３ａと外壁３３ｄとの交差部をボルト３７により固定して、ボックス本体３３を形成している。
【００３１】
シート案内部３５の両側の縁部３４には、樹脂ガイド５０が取り付けられている。樹脂ガイド５０は、ボックス本体３３の縁部３４を囲んで同部に取付けられる基部５１と、縁部３４と内壁３３ｃの角から案内部３５内に突き出してシート１０に接するヒレ部５３を有する。ヒレ部５３は、基部５１（ボックス本体の縁部３４）に対して、約３０°の角度で案内部３５内を斜め奥方向に延びている。また、ヒレ部５３の外側（シート案内部側）の面には、同部の上下方向に延びる複数の凸部５５が形成されている。このような樹脂ガイド５０は、例えばポリエチレンで作製される。
なお、この例では、案内部３５の両側に樹脂ガイド５０を設けたが、樹脂ガイド５０は案内部３５の片側（シート１０の干渉部１５のある側、図３の裏側）のみに設けてもよい。
【００３２】
このような樹脂ガイド５０を設けることにより、図３（Ａ）に示すように、シート１０端部には表裏側から樹脂ガイド５０のヒレ部５３が密着して、ヒレ部５３でシート１０の両端部を表裏側からある程度の力で押さえ付けている。このため、シート１０を表裏方向へ振れないように保持できる。また、シート１０の左右方向へのズレも防止できる。さらには、シート全閉時での案内部の気密性が向上する。なお、樹脂ガイド５０を案内部３５の片側のみに設けた場合でも、このような効果を期待できる。
また、ヒレ部５３の外側の面（シート１０に密着する面）には、上下方向に延びる複数の凸部５５が設けられているので、シート１０の上げ下げ時の摩擦抵抗力を低減できる。
【００３３】
シート１０の表側と裏側の空間での圧力の変化などにより、シート１０がどちらかの側へ引かれると、シート端部は、図３（Ｂ）の矢印で示すように、ボックス本体３３から引き出されようとする。このとき、引き出されるシート１０の干渉部１５の折り返し片１７とシート本体１０との間に樹脂ガイド５０のヒレ部５３が入り込み、ヒレ部５３が引っ掛かって抵抗となるので、シート端部はボックス本体３３から抜け出にくくなる。折り返し片１７は、上述のように、シート本体からやや浮いて、先端（シート端部）ほどシート１０から離れるように斜めに反っているので、樹脂ガイド５０のヒレ部５３が、折り返し片１７とシート１０との間に入り込みやすい。
【００３４】
図４は、図１のシートシャッターのロータパイプの他の例を示す図である。
図４（Ａ）のロータパイプ２１´は、直円筒形でなく、幅方向端部から中央部に向けてなだらかに径大となっている樽型である。このような予め中央部を径大としたロータパイプを使用することにより、上述のようにシートの巻き太りを解消できる。
【００３５】
図４（Ｂ）のロータパイプ２１´´は、円筒形であるが、長さＷ２がシート１０の幅Ｗ１よりも、シート１０の干渉部１５の幅だけ短くなっている。つまり、シート両端部をロータパイプ２１´´に巻き付けないようにして巻き太りを解消している。
【００３６】
図５は、本発明の他の実施の形態に係るシートシャッターのレールボックスの構造を示す図であり、図５（Ａ）はシャッター開時の平面断面図、図５（Ｂ）はシャッター閉時の平面断面図である。
図６（Ａ）は図５（Ａ）のＥ−Ｅ断面図、図６（Ｂ）は図５（Ｂ）のＦ−Ｆ断面図である。
この例のシートシャッターは、シートの閉限時にシートの固定を行うシート押し当て機構１００を備える。
シート押し当て機構１００は、ボックス本体３３内に配置されており、シート端部に表側から当てられる表当て板１０１と、同部に裏側から当てられる裏当て板１０３とを含む。両当て板１０１、１０３は、シート案内部３５を挟んで対向するように配置されて、同案内部３５の長手方向に延びている。
【００３７】
表当て板１０１は、外壁３３ａに固定された上下ベース部材１３１にリングバー対１３３によって連結している。各リンクバーは、表当て板１０１及びベース部材１３１に対して回動可能である。上下のリンクバー１３３の長さは等しく、表当て板１０１側の上下リンクバー間の間隔と、ベース部材１３１側の上下リンクバー間の間隔は等しい。この上下のリンクバー１３１及び表当て板１０１は平行リンク機構を構成し、表当て板１０１は垂直の姿勢を保ったまま、ベース部材１３１に対してスイングするように駆動される。
裏当て板１０３は、外壁３３ａに固定されて、ボックス本体３３内のほぼ中央に延びている。
【００３８】
表当て板１０１の、裏当て板１０３に対向する面は、横断面が三角形の凸面１１１となっている。そして、裏当て板１０３の、表当て板１０１に対向する面は、横断面が三角形の凹面１１３となっている。図５（Ｂ）に示すように、表当て板１０１が裏側方向に駆動される（押される）と、それらの当て板１０１、１０３の凸面１１１と凹面１１３はシート１０を挟んで係合する（嵌り合う）。なお、係合時に、凸面１１１の先端の角が、凹面１１３の隅により強く当るよう、両面１１１、１１３の傾斜を調整することもできる。
【００３９】
表当て板１０１は、同板１０１とベース部材１３１との間に設けられたソレノイド（アクチュエータ）１２０で駆動される。このソレノイド１２０は、シート１０が案内部３５内を最下部まで下降した状態（シート全閉）を検出するセンサによって駆動される。シート全開状態、及び、シートが最下部に達する直前までの状態では、ソレノイド１２０は、表当て板１１１を裏当て板１０３から離すように駆動している。そして、シート全閉をセンサが検出すると、ソレノイド１２０は、表当て板１０１を裏当て板１０３に向かうように駆動する。
【００４０】
ソレノイド１２０が、表当て板１０１を裏当て板１０３から離すように駆動すると、各リンクバー１３３は、図６の時計方向に回転する。そして、表当て板１０１は図の右方向に移動し、図５（Ａ）、図６（Ａ）に示すように、表当て板１０１がベース部材１３１にほぼ当接し、案内部３５が開く。シート１０が巻き上げ・巻き下げられる間、シート１０の幅方向端部は案内部３５及びこのスキマＷ１のほぼ中央を通る。
【００４１】
一方、ソレノイド１２０が、表当て板１０１を裏当て板１０３に向かうように駆動すると、各リンクバー１３３が、図６の反時計方向に回転する。そして、図５（Ｂ）、図６（Ｂ）に示すように、表当て板１０１がベース部材１３１から裏方向に離れて、表当て板１０１の凸面１１１が、裏当て板１０３の凹面１１３に押し当てられる。このとき、シート１０が最下部まで下降した状態であれば、シートの両端部は、表裏当て板１０１、１０３の凸面１１１と凹面１１３との間に挟み込まれる。これにより案内部（開口）３５が塞がれるとともに、シート両端部のボックス本体３３からの抜けを防止できる。
【００４２】
このようなシート押し当て機構１００を設けることにより、シート１０の両端を張った状態に保つことができるとともに、シート端部のボックス本体３３からの抜けをさらに確実に防止できる。
【００４３】
以上のようなシート両端部の抜け防止機構を設けることにより、シートの左右両端部を張った状態に維持することができる。また、シート１０の下端には、錘のように作用するフラットバー１１が設けられているため、シート１０の上下方向も張った状態に維持することができる。
【００４４】
図７は、本発明の投影シートシャッターの構成を説明する正面図である。
図８は、図７の投影シートシャッターの使用例である。
投影シートシャッター２００は、図１のシートシャッター１と、投影プロジェクターを備える。このシートシャッター１は、上述のように、フラットタイプのシート１０を使用するものであり、シート１０が下降したときにシートを張った状態に保つための工夫（前述したシート端部の干渉部１５、樹脂ガイド５０、シート押し当て機構１００を含む）が施されている。なお、シート１０の色は白色で表面はマット処理されている。シート１０が下降した状態において、シャッター開口のほぼ上半分に相当する部分は投影スクリーン部２１０となる部分である。同部分には、シートの継ぎ目が存在しないことが好ましい。
【００４５】
図８（Ａ）に示すように、シートが下降した状態において、シート１０のスクリーン部２１０には、プロジェクター２０１から画像情報が投影される。プロジェクター２０１の投影方式は、反射式あるいは透過式とできる。図８（Ａ）は、反射式のプロジェクター２０１を使用するタイプのものである。同プロジェクター２０１はシートシャッター１の本体ボックス８１内に備えられている。プロジェクター２０１から投影される画像は、本体ボックス８１から前方に突き出た反射鏡２０３で反射して、シート１０のスクリーン部２１０に投影される。スクリーン部２１０は、消費者Ｃの目の高さの位置に形成されているため、消費者Ｃはスクリーン部２１０に映し出された画像を歩きながら見ることができる。
【００４６】
このシートシャッター１は、上述のように、シート１０を左右方向及び上下方向に張った状態に維持できるため、投影された画像は歪んだり途切れたりすることなくきれいに映し出される。
また、パイプレスのフラットタイプのものであるため、シート１０が軽量化されているとともに、シート１０のスムーズな巻き上げ・巻き下げが可能になる。つまり、中間パイプがないので、ロータパイプ２１の振動を抑えることができる。また、負荷の大きいモータを使用していないので、モータが発する騒音や振動が少ない。このようなことにより、本体ボックス８１に、プロジェクター２０１のような精密機器を搭載しても、プロジェクター２０１に振動等の悪影響を及ぼさない。
【００４７】
また、本体ボックス８１には、画像情報と関連する音声情報を発するスピーカ２０５が備えられている。
【００４８】
投影される画像情報としては、商品のコマーシャルや、その店舗のセール品や店舗案内に関するものである。特に、画像情報として商品のコマーシャルを投影し、このシートシャッターに隣接する位置に同商品を陳列することにより、この商品の購買意識を高めることが期待できる。
なお、画像情報や音声情報は、サーバから一括して送信される。情報の提供方法やサーバの制御方法については説明を省略する。また、画像情報の投影は、シートが下降している間だけで、シートが上げられるときには画像情報の投影が中断される。このような画像情報の制御方法についても説明を省略する。
【００４９】
図８（Ｂ）の投影シートシャッター２００´は、透過式のプロジェクター２０１を使用するタイプのものである。同プロジェクター２０１は、シートシャッター１とは別体であり、シートシャッター１に対して売り場と反対側の調理場や倉庫などの天井等に取り付けられる。そして、この場合は、シート１０のスクリーン部２１０が透過式のスクリーンとなっている。スクリーン部２１０にプロジェクター２０１から画像が映し出されると、消費者Ｃは、同スクリーン部２１０を透過した画像を見る。
【図面の簡単な説明】
【００５０】
【図１】本発明の実施の形態に係るシートシャッターの全体構造を説明するための図であり、図１（Ａ）は正面図、図１（Ｂ）は模式的側面断面図、図１（Ｃ）は平面図である。
【図２】図１のシートシャッターのシートを示す図であり、図２（Ａ）は一部正面図、図２（Ｂ）は平面断面図である。
【図３】図１のシートシャッターのレールボックスの構造を説明する断面図である。
【図４】図１のシートシャッターのロータパイプの他の例を示す図である。
【図５】本発明の他の実施の形態に係るシートシャッターのレールボックスの構造を示す図であり、図５（Ａ）はシャッター開時の平面断面図、図５（Ｂ）はシャッター閉時の平面断面図である。
【図６】図６（Ａ）は図５（Ａ）のＥ−Ｅ断面図、図６（Ｂ）は図５（Ｂ）のＦ−Ｆ断面図である。
【図７】本発明の投影シートシャッターの構成を説明する正面図である。
【図８】図７の投影シートシャッターの使用例である。
【符号の説明】
【００５１】
１  シートシャッター              １０  シート
１１  フラットバー                  １５  干渉部
１６  熱融着部                      １７  折り返し片
２０  ローラ組立体                  ２１  ローターパイプ
２３  モーター                      ２５  ゴム板
３０  フレーム                      ３１  レールボックス
３３  ボックス本体                  ３４  縁部
３５  案内部                        ３７  ボルト
５０  樹脂ガイド                    ５１  基部
５３  ヒレ部                        ５５  凸部
８１  本体ボックス                  ８３  柱
８７  開口
１００  シート押し当て機構          １０１  表当て板
１０３  裏当て板                    １１１  凸面
１１３  凹面                        １２０  ソレノイド
１３１  上下ベース部材              １３３  リングバー
２００  投影シートシャッター        ２０１  プロジェクター
２０３  反射鏡                      ２１０  スクリーン部
【図１】
2006037596.tif 000003
【図２】
2006037596.tif 000004
【図３】
2006037596.tif 000005
【図４】
2006037596.tif 000006
【図５】
2006037596.tif 000007
【図６】
2006037596.tif 000008
【図７】
2006037596.tif 000009
【図８】
2006037596.tif 000010